(57)【特許請求の範囲】
【請求項１】
ファックスデータの入力を受け付ける受付手段と、
前記受付手段で受け付けたファックスデータに識別画像が付加されているか否かを判定する判定手段と、
前記判定手段で、前記受付手段で受け付けたファックスデータに前記識別画像が付加されていないと判定された場合、所定の記憶部に保存された他のファックスデータの一覧を表示する表示制御手段と、
ユーザにより前記一覧から選択された他のファックスデータが保存される前記記憶部の保存場所に基づいて生成された識別画像を前記受付手段で受け付けたファックスデータに付加する付加手段と、
前記選択された他のファックスデータの前記保存場所に基づき、前記受付手段で受け付けたファックスデータを当該他のファックスデータと関連付けて前記記憶部に保存する保存手段と、
を有する、ファックス装置。
【請求項２】
前記判定手段で前記識別画像が付加されていると判定された場合、前記受付手段で受け付けたファックスデータに付加された識別画像から前記他のファックスデータの前記保存場所を示す情報を取得する取得手段と、をさらに有し、
前記保存手段は、
前記取得手段で取得された前記他のファックスデータの前記保存場所を示す情報に基づき、前記受付手段で受け付けたファックスデータを当該他のファックスデータと関連付けて前記記憶部に保存する、
請求項１に記載のファックス装置。
【請求項３】
ファックスデータを受信するファックス受信手段をさらに有し、
前記受付手段は、
前記ファックス受信手段で受信されたファックスデータを受け付け、
前記表示制御手段は、
前記受付手段で受け付けたファックスデータと関連する他のファックスデータを選択するための前記一覧を表示する、
請求項１又は２に記載のファックス装置。
【請求項４】
ファックスデータを送信するファックス送信手段をさらに有し、
前記受付手段は、
前記ファックス受信手段で受信されたファックスデータに対する返信として前記ファックス送信手段で送信されるファックスデータを受け付け、
前記表示制御手段は、
前記受付手段で受け付けたファックスデータの返信対象である他のファックスデータを選択するための前記一覧を表示する、
請求項３に記載のファックス装置。
【請求項５】
ファックスデータを受信するファックス受信手段と、
ファックスデータを送信するファックス送信手段と、をさらに有し、
前記受付手段は、
前記ファックス受信手段で受信されたファックスデータであるファックス受信データを受け付け、
前記付加手段は、
前記受付手段で受け付けたファックス受信データに、当該ファックス受信データの保存場所を示す識別画像が含まれている場合、当該ファックス受信データに対する返信操作に応答して、当該識別画像を切り出し、返信対象である他のファックスデータに付加し、
前記ファックス送信手段は、
前記返信対象である他のファックスデータを送信する、
請求項１又は２に記載のファックス装置。
【請求項６】
前記保存手段が、前記記憶部にアクセスできない場合、前記識別画像が付加されたファックスデータを、前記記憶部における保存場所についての前記他のファックスデータとの関連付けを示す関連付け情報に基づいて、前記記憶部とは異なる他の記憶部に保存し、
前記関連付け情報と、前記識別画像が付加されたファックスデータを保存する前記他の記憶部の保存場所との対応表を有する、
請求項１乃至５のいずれか一項に記載のファックス装置。
【請求項７】
前記識別画像は、一次元バーコード又は二次元バーコードであり、ファックスの送付状、ファックスの送信レポート、又はファックス文書内、に付加される、
請求項１乃至６のいずれか一項に記載のファックス装置。
【請求項８】
前記保存手段は、ユーザを識別する情報、ファックスの送信又は受信時刻、及びファックスの送信先又は送信元の情報のうち少なくとも一つとともに前記ファックスデータを保存する、
請求項１乃至７のいずれか一項に記載のファックス装置。
【請求項９】
コンピュータに、
ファックスデータの入力を受け付けるステップと、
受け付けたファックスデータに識別画像が付加されているか否かを判定するステップと、
前記受け付けたファックスデータに前記識別画像が付加されていないと判定された場合、所定の記憶部に保存された他のファックスデータの一覧を表示するステップと、
ユーザにより前記一覧から選択された他のファックスデータが保存される前記記憶部の保存場所に基づいて生成された識別画像を前記受け付けたファックスデータに付加するステップと、
前記選択された他のファックスデータの前記保存場所に基づき、前記受け付けたファックスデータを当該他のファックスデータと関連付けて前記記憶部に保存するステップと、
を実行させるための通信プログラム。
【請求項１０】
ファックス装置と、情報処理装置とを有し、前記ファックス装置と前記情報処理装置とがネットワークを介して接続される通信システムであって、
ファックスデータの入力を受け付ける受付手段と、
前記受付手段で受け付けたファックスデータに識別画像が付加されているか否かを判定する判定手段と、
前記判定手段で、前記受付手段で受け付けたファックスデータに前記識別画像が付加されていないと判定された場合、所定の記憶部に保存された他のファックスデータの一覧を表示する表示制御手段と、
ユーザにより前記一覧から選択された他のファックスデータが保存される前記記憶部の保存場所に基づいて生成された識別画像を前記受付手段で受け付けたファックスデータに付加する付加手段と、
前記選択された他のファックスデータの前記保存場所に基づき、前記受付手段で受け付けたファックスデータを当該他のファックスデータと関連付けて前記記憶部に保存する保存手段と、
を有する、通信システム。
【発明の詳細な説明】
【技術分野】
【０００１】
本発明は、ファックス装置、通信プログラム、及び通信システムに関する。
【背景技術】
【０００２】
管理装置が、送受信したファックスデータを保存し、管理する技術が既に知られている。
【０００３】
例えば、受信したファックスデータの内容に応じて、管理装置が該当する部署へファックスデータを振り分ける技術が既に知られている（特許文献１等を参照）。
【発明の概要】
【発明が解決しようとする課題】
【０００４】
上述した従来の技術は、受信したファックスデータを容易に振り分けることができる。しかしながら、従来の技術では、相手先とやりとりを行っているファックスデータ同士を関連づけて管理できないという問題があった。
【０００５】
本発明は、上記の従来の問題点に鑑み提案されたものであり、その目的とするところは、関連するファックスデータ同士を関連づけて管理できるファックス装置、通信プログラム、及び通信システムを提供することにある。
【課題を解決するための手段】
【０００６】
上記目的を達成するため、例えば、ファックス装置が、ファックスデータの入力を受け付ける受付手段と、前記受付手段で受け付けたファックスデータに識別画像が付加されているか否かを判定する判定手段と、前記判定手段で、前記受付手段で受け付けたファックスデータに前記識別画像が付加されていないと判定された場合、所定の記憶部に保存された他のファックスデータの一覧を表示する表示制御手段と、ユーザにより前記一覧から選択された他のファックスデータが保存される前記記憶部の保存場所に基づいて生成された識別画像を前記受付手段で受け付けたファックスデータに付加する付加手段と、前記選択された他のファックスデータの前記保存場所に基づき、前記受付手段で受け付けたファックスデータを当該他のファックスデータと関連付けて前記記憶部に保存する保存手段と、を有する。
【発明の効果】
【０００７】
本発明の一側面にあっては、関連するファックスデータ同士を関連づけて管理できる。
【図面の簡単な説明】
【０００８】
【図１】本実施形態における通信システムのシステム構成例を示す図である。
【図２】本実施形態におけるＭＦＰのハードウエア構成例を示す図である。
【図３】本実施形態におけるサーバのハードウエア構成例を示す図である。
【図４】本実施形態におけるＭＦＰの機能構成例を示す図である。
【図５】ファックスデータの送信から、ファックスデータの返信を受信するまでの流れを示すシーケンス図である。
【図６】ＭＦＰがファックスデータを受信してから、返信を送信するまでの流れを示すシーケンス図である。
【図７】ＭＦＰが送信時に実行する送信処理の手順例を示すフローチャート図である。
【図８】ＭＦＰが受信したファックスデータに対する返信処理の手順例を示すフローチャート図である。
【図９】ファックスの送受信履歴の一覧画面の例を示すイメージ図である。
【図１０】ＭＦＰがファックスを受信時に実行する受信処理の手順例を示すフローチャート図である。
【図１１】識別画像が示す保存場所にサーバがアクセスできない場合のファックスデータの保存処理の手順例を示すフローチャート図である。
【図１２】ログイン情報を付加したファックスデータを保存する処理の手順例を示すフローチャート図である。
【図１３】ファックスデータの保存場所の名称を設定する処理の手順例を示すフローチャート図である。
【図１４】ファックスデータを送信したユーザ情報に基づいて、ファックスデータの保存場所の名称を設定する処理の手順例を示すフローチャート図である。
【図１５】ユーザの指示にしたがって、ファックスデータの保存場所の名称を決定する処理の手順例を示すフローチャート図である。
【図１６】ファックスデータの名称設定時に表示させる画面の例を示すイメージ図である。
【図１７】変形例におけるファックスデータを受信してからファックスデータに返信するまでの流れを示すシーケンス図である。
【発明を実施するための形態】
【０００９】
以下、本発明の好適な実施形態について説明する。
【００１０】
＜システム概要＞
図１は、本実施形態における通信システム１のシステム構成例を示す図である。
【００１１】
通信システム１は、ＭＦＰ（Multifunction Peripheral）２ａ、２ｂ・・・が公衆網を介して接続される。ＭＦＰ２ａ、２ｂは各々を区別しない場合、ＭＦＰ２とする。また、ＭＦＰ２ａ、２ｂとサーバ３はネットワークを介して接続される。なお、ＭＦＰ２とサーバ３とがデータ伝送路を介して接続されていてもよい。
【００１２】
ＭＦＰ２ａは、公衆網で接続されたＭＦＰ２ｂと、ファックスによる通信を行う。ＭＦＰ２は、相手先とやりとりを行っているファックスデータなどに対して、一次元バーコード、二次元バーコードなどの識別画像を付加してファックスデータの送受信を行う。ＭＦＰ２は、他のＭＦＰ２へ送信するファックスデータ又は他のＭＦＰ２から受信したファックスデータを、ネットワークを介して接続されるサーバ３へ保存する。ＭＦＰ２は、ファックス機能を備える通信装置であればよい。
【００１３】
サーバ３は、ＭＦＰ２からのファックスデータの保存要求にしたがって、ファックスデータを保存するフォルダなどの保存場所を生成する。サーバ３は、ＭＦＰ２から受信したデータを該当するフォルダに保存する。サーバ３は、例えば、ＰＣ（Personal Computer）などの情報処理装置である。なお、サーバ３が保存場所を生成し、ファックスデータを保存する構成を示したが、ＭＦＰ２が、ＭＦＰ２本体に保存場所を生成し、ファックスデータを保存する構成であってもよい。
【００１４】
＜ハードウエア構成＞
≪ＭＦＰ≫
図２は、本実施形態におけるＭＦＰ２のハードウエア構成例を示す図である。
【００１５】
ＭＦＰ２は、コントローラ２００と、操作パネル２１０と、記憶メディアＩ／Ｆ（InterFace）２２０と、データ通信Ｉ／Ｆ２３０と、ＨＤＤ（Hard Disk Drive）２４０と、ＵＳＢ（Universal Serial Bus）  Ｉ／Ｆ２５０と、スキャナ２６０と、プロッタ２７０、ＦＡＸ装置２８０を有し、それぞれＰＣＩ（Peripheral Component Interconnect）バスＢで相互に接続されている。
【００１６】
コントローラ２００は、ＲＯＭ（Read Only Memory）２０１、ＲＡＭ（Random Access Memory）２０２及びＣＰＵ（Core Process Unit）２０３を有しており、ＲＯＭ２０１は、ＭＦＰ２が起動されるときに実行されるプログラムや各種データを格納している。また、ＲＡＭ２０２は、ＲＯＭ２０１やＨＤＤ２４０から読み出された各種プログラムやデータを一時的に保持する。
【００１７】
操作パネル２１０は、入力装置２１１と表示装置２１２とを有しており、入力装置２１１は、ハードウェアキー等で構成され、ＭＦＰ２に各操作信号を入力するのに用いられる。また、表示装置２１２は、ディスプレイ等で構成され、例えば画像形成動作に関する各種情報を表示する。
【００１８】
記憶メディアＩ／Ｆ２２０は、ドライブ装置２２１を有しており、ドライブ装置２２１に記録媒体２２２がセットされると、記録媒体２２２に記録される各種データがドライブ装置２２１を介してＨＤＤ２４０に格納される。
【００１９】
データ通信Ｉ／Ｆ２３０は、インタフェース装置２３１を有しており、ＭＦＰ２をネットワークＮ等のデータ伝送路に接続するインタフェースである。
【００２０】
ＨＤＤ２４０は、ＭＦＰ２で取り扱われる受信文書データや読み取り画像データ等の各種データを格納している。また、ＨＤＤ２４０は、これらの各種データを、所定のファイルシステムやＤＢ（Data Base）により管理している。ＨＤＤ２４０に格納される各種データの中には、例えば、スマートフォンやデジタルカメラ等の外部機器によって記録された電子データも含まれる。このような場合には、ＳＤカード等の記録媒体２２２によってＭＦＰ２に提供されたり、データ伝送路であるネットワーク等を通じてアップロードされたりする。
【００２１】
ＵＳＢ  Ｉ／Ｆ２５０は、ＵＳＢ（Universal Serial Bus）ホスト２５１を有しており、ＵＳＢホスト２５１は、ＵＳＢケーブルを介して、各種装置と接続する。ＵＳＢホスト２５１は、各種装置と通信するための物理的・電気的Ｉ／Ｆを制御する機能及びＵＳＢプロトコルを制御する機能を有する。
【００２２】
スキャナ２６０は、画像読取装置２６１を有しており、読み取り面に配置された原稿を光学的に読み取り画像データを生成する。
【００２３】
プロッタ２７０は、印刷装置２７１を有しており、例えば、電子写真プロセス方式によってビットマップイメージを記録紙に印刷する。
【００２４】
ＦＡＸ装置２８０は電話回線などを介して画像情報の送受信を行うために用いられる。
【００２５】
≪サーバ≫
図３は、本実施形態におけるサーバ３のハードウエア構成例を示す図である。
【００２６】
サーバ３は、入力部３０１、出力部３０２、ドライブ３０３、インタフェース３０５、補助記憶部３０６、メモリ３０７、及びＣＰＵ３０８を備え、それぞれがバスＢで接続される。ドライブ３０３には記憶媒体３０４が接続されている。
【００２７】
入力部３０１は各種信号を入力するために用いられ、キーボードやマウス等から構成される。
【００２８】
出力部３０２は例えば、ディスプレイで構成され、各種ウィンドウやデータ等を表示するために用いられる。
【００２９】
ドライブ３０３は記憶媒体からデータを読み出し、あるいは書き込むために用いられる。
【００３０】
記憶媒体３０４として、ＣＤ−ＲＯＭ（Compact Disk Read Only Memory）、光磁気ディスク、フラッシュメモリ等の半導体メモリ、様々なタイプの記憶媒体が用いられる。
【００３１】
インタフェース３０５は、ネットワークに接続するために用いられ、モデム、ＬＡＮカード等から構成される。
【００３２】
補助記憶部３０６は処理の実行に必要なプログラム、ファイル、データ等を格納するために用いられハードディスクドライブなどから構成される。
【００３３】
メモリ３０７は演算処理を実行するためにプログラムや情報を一時的に格納するために用いられ、半導体メモリ等から構成される。
【００３４】
ＣＰＵ３０８はメモリ装置に格納されたプログラムにしたがって各種処理を実行するために用いられる。
【００３５】
プログラムを記録した記憶媒体がドライブ３０３にセットされると、記憶媒体３０４からドライブ３０３を介して補助記憶部３０６にプログラムがインストールされる。プログラムのインストールは、記憶媒体を読み取ることにより行われることに限定されず、ネットワークを介してプログラムをダウンロードすることにより行われてもよい。
【００３６】
メモリ３０７はＣＰＵ３０８から起動要求に応じて補助記憶部３０６からプログラムを読み出してメモリ３０７に格納する。そして、ＣＰＵ３０８はメモリ３０７に格納されているプログラムにしたがって各種演算処理を実行する。
【００３７】
＜機能構成＞
図４は、本実施形態におけるＭＦＰ２の機能構成例を示す図である。ＭＦＰ２は、ファックスデータ受取部２１、判定部２２、関連情報取得部２３、保存場所管理部２４、識別画像生成部２５、識別画像付加部２６、ＵＩ部２７、ファックスデータ送受信部２８、及び機能制御部２９を有する。
【００３８】
ファックスデータ受取部２１は、送信するファックスデータ又は受信したファックスデータを受け取る。ファックスデータ受取部２１は、印刷された用紙などの媒体又はＰＣから取得したデータからファックスデータを受け付ける。
【００３９】
判定部２２は、ファックスデータ受取部２１が受け取ったファックスデータに二次元バーコードなどの識別画像が含まれるか否かを判定する。ファックスデータ受取部２１が受け取ったファックスデータに識別画像が含まれる場合、判定部２２は、他のファックスデータとの関連を示す保存場所、タグ情報などの情報の取得を関連情報取得部２３に要求する。なお、保存場所は、ファックスデータが保存されている場所を示すフォルダなどの情報である。また、タグ情報は、ファックスデータの送信者、ファックスデータのタイトルなどファックスデータの属性を示す情報である。
【００４０】
ファックスデータ受取部２１が受け取ったファックスデータに識別画像が含まれていない場合、ファックスデータ受取部２１が受け取ったファックスデータと関連するファックスデータが存在するか否かを判定する。関連するファックスデータの判定は、例えば、ＭＦＰ２本体に保存されている通信履歴又はサーバ３に保存されているファックスデータを操作パネル２１０などに表示させ、ユーザに選択させる方法で行う。
【００４１】
関連するファックスデータがユーザによって選択された場合、判定部２２は、該当するファックスデータの識別画像からファックスデータ受取部２１が受け付けたファックスデータとの関連を示す情報を取得するように関連情報取得部２３へ要求する。
【００４２】
関連するファックスデータが存在しない場合、判定部２２は、保存場所管理部２４に対して保存場所の生成を要求する。
【００４３】
関連情報取得部２３は、ファックスデータに含まれる識別画像から他のファックスデータとの関連を示す情報を取得する。関連情報取得部２３は、識別画像から取得した他のファックスデータとの関連を示す情報にしたがって、他のファックスデータと関連づけて、ファックスデータ受取部２１が受け付けたファックスデータを保存するよう保存場所管理部２４に要求する。例えば、識別画像から保存場所に関する情報を取得した場合、関連情報取得部２３は、識別画像に含まれていた保存場所にファックスデータ受取部２１が受け付けたファックスデータを保存するよう保存場所管理部２４へ要求する。
【００４４】
また、関連情報取得部２３は、ＵＩ部２７を介して取得した保存場所、タグ情報などの情報を、他のファクスデータとの関連を示す情報として利用してもよい。ＵＩ部２７を介して取得した情報を他のファックスデータと関連する情報として利用する場合、関連情報取得部２３は、取得した情報に基づいて識別画像を生成するよう要求する。生成された識別画像は、送信するファックスデータ又は受信したファックスデータに付加される。
【００４５】
通信履歴又はサーバ３に保存されたファックスデータの識別画像から他のファックスデータとの関連を示す情報を取得した場合、関連情報取得部２３は、取得した情報が含まれる識別画像を、送信するファックスデータ又は受信したファックスデータに付加するよう識別画像付加部２６に要求する。
【００４６】
保存場所管理部２４は、送信するファックスデータ又は受信したファックスデータの保存場所をサーバ３などに生成する。保存場所管理部２４は、生成された保存場所に関する情報をサーバ３から受信する。また、保存場所管理部２４は、送信したファックスデータ又は受信したファックスデータの識別画像から保存場所に関する情報を取得する。保存場所管理部２４は、取得した保存場所に関する情報にしたがって、送信するファックスデータ又は受信したファックスデータを保存する。
【００４７】
また、保存場所管理部２４は、送信するファックスデータ又は受信したファックスデータの識別情報が示す保存場所に、アクセスできない場合、他のサーバ４（不図示）に保存場所の生成を要求する。なお、保存場所管理部２４が、サーバ３の保存領域のうち、アクセス可能な保存領域がある場合にはアクセスできる保存領域に対して、独自の保存場所の生成を要求してもよい。この場合、保存場所管理部２４は、他のサーバ４上に生成された独自の保存場所又はサーバ３上のアクセス可能な保存領域へ送信するファックスデータ又は受信したファックスデータを保存する。また、保存場所管理部２４は、例えば、アクセスできなかった保存場所を示す識別画像と他のサーバ４上に生成された保存場所との対応表を作成する。なお、対応表は、上述した対応表に限定されず、アクセスできなかった保存場所を示す識別画像とサーバ３上に独自に生成されたアクセス可能な保存場所を示す情報との対応関係を示すものであってもよい。
【００４８】
また、保存場所管理部２４は、生成する保存場所の名称を設定する。保存場所管理部２４は、ユーザから受け付けた名称、又は予め定められた設定にしたがって、保存場所の名称を決定してもよい。
【００４９】
識別画像生成部２５は、関連情報取得部２３が取得した情報に基づいて、識別画像を生成する。識別画像生成部２５は、生成した識別画像を送信するファックスデータ又は受信したファックスデータに付加するよう識別画像付加部２６に要求する。
【００５０】
識別画像付加部２６は、識別画像が付加されていない送信するファックスデータ又は受信したファックスデータに対して、識別画像を付加する。識別画像付加部２６は、ＭＦＰ２本体に保存されたファックスデータ、又はサーバ３に保存されているファックスデータの識別画像から取得した他のファックスデータとの関連を示す情報に基づいて生成された識別画像を、送信するファックスデータ又は受信したファックスデータに付加する。識別画像は、例えば、ファックスの送付状、ファックスの送信レポート、又はファックス文書内の空白部分に付加することができる。
【００５１】
ＵＩ部２７は、選択画面、送受信したファックスデータの画像、ファックスデータに含まれる識別画像などを表示し、ユーザからの操作を受け付ける。
【００５２】
ＵＩ部２７は、例えば、ユーザが持参したファックスデータに付加されている識別画像を読み取り、その識別画像に含まれる他のファックスデータとの関連を示す情報に基づき、サーバ３から取得したファックスデータを操作パネルなどに表示してもよい。また、ＵＩ部２７は、表示したファックスデータに対して、返信などの操作をユーザから受け付ける。また、スマートフォンなどの情報端末で撮影されたファックスデータの識別画像から他のファックスデータとの関連を示す情報を読み取り、取得した情報に基づいてサーバ３から関連するファックスデータを取得し、スマートフォンなどに表示させてもよい。
【００５３】
ファックスデータ送受信部２８は、ファックス機能を用いてファックスデータの送受信を行う。
【００５４】
機能制御部２９は、サーバ３との通信制御、ファックスデータの印刷、ユーザのログイン認証、又はファックスの送受信履歴の記憶などを行う。
【００５５】
上述した構成を有することにより、ＭＦＰ２は、関連のあるファックスデータ同士を結び付けて管理することができる。これにより、ユーザは、関連するファックスデータを容易に取得できる。
【００５６】
＜処理動作＞
図５は、ＭＦＰ２において、ファックスデータの送信からファックスデータの返信を受信するまでの流れを示すシーケンス図である。
【００５７】
ステップＳ１で、ＭＦＰ２ａはユーザからファックスデータの送信の要求を受け付ける。その後、ＭＦＰ２ａは、送信するファックスデータを受け取る。
【００５８】
ステップＳ２で、ＭＦＰ２ａは、サーバ３に対して、送信するファックスデータの保存場所（フォルダ）の生成を要求する。
【００５９】
ステップＳ３で、サーバ３は、ＭＦＰ２ａの要求にしたがって、ファックスデータの保存場所を生成する。送信するファックスデータの保存場所は、ユーザの指示に基づいて生成される、あるいは、サーバが自動的に保存場所を決定し、送信するファックスデータ又は受信したファックスデータの保存場所を生成してもよい。
【００６０】
ステップＳ４で、ＭＦＰ２ａは、送信するファックスデータ又は受信したファックスデータの保存場所に関する情報をサーバ３から取得する。
【００６１】
ステップＳ５で、ＭＦＰ２ａは、保存場所に関する情報に基づいて、識別画像を生成する。その後、ＭＦＰ２ａは、識別画像を送信するファックスデータ又は受信したファックスデータへ付加する。例えば、受け取ったファックスデータの本文とは別に識別画像が含まれるページが生成されるようにしてもよい。また、ＭＦＰ２ａは送信するファックスデータ又は受信したファックスデータにタグ情報を生成し、タグ情報に基づいて、識別画像を生成してもよい。
【００６２】
ステップＳ６で、ＭＦＰ２ａは、識別画像が付加されたファックスデータをサーバ３へネットワークを介して送信する。
【００６３】
ステップＳ７で、サーバ３は、ＭＦＰ２ａからネットワークを介して取得したファックスデータを指示された保存場所へ保存する。
【００６４】
ステップＳ８で、ＭＦＰ２ａは、ファックス機能を用いて、識別画像が付加されたファックスデータをファックス通信によってＭＦＰ２ｂへ送信する。その後、ＭＦＰ２ｂがＭＦＰ２ａからファックス通信によって受信したファックスデータに対する返信のための文書をユーザから受け取った場合には、返信するファックスデータを生成し、ＭＦＰ２ｂはファックス通信によってファックスデータを送信する。
【００６５】
ステップＳ９で、ＭＦＰ２ａは、送信したファックスデータに対する返信をＭＦＰ２ｂからファックス通信によって受信する。
【００６６】
ステップＳ１０で、ＭＦＰ２ａは、受信したファックスデータに識別画像が含まれるか否かを判定し、受信したファックスデータに識別画像が含まれる場合、その識別画像から保存場所に関する情報を取得する。
【００６７】
ステップＳ１１で、ＭＦＰ２ａは、取得した保存場所に関する情報又はタグ情報に基づいて、返信されたファックスデータをネットワークを介してサーバ３に送信する。
【００６８】
ステップＳ１２で、サーバ３は、ステップＳ７で保存されたファックスデータと同一の保存場所に、返信されたファックスデータを保存する。
【００６９】
図６は、ＭＦＰ２がファックスデータを受信してから、返信を送信するまでの流れを示すシーケンス図である。
【００７０】
ステップＳ２０で、ＭＦＰ２ａは、ＭＦＰ２ｂからファックス通信を用いてファックスデータを受信する。
【００７１】
ステップＳ２１で、ＭＦＰ２ａのファックスデータ受取部２１は、ＭＦＰ２ｂから受信したファックスデータを受け取る。
【００７２】
ステップＳ２２で、ＭＦＰ２ａは、ＭＦＰ２ｂからファックス通信を用いて受信したファックスデータに識別画像が含まれるか否かを判定し、例えば、識別画像が含まれていない場合、かつ、ファックスデータの保存場所が存在しない場合、ファックスデータの保存場所の生成を、サーバ３へ要求する。なお、ＭＦＰ２ｂから受信したファックスデータに識別画像が含まれない場合の処理は、後述する。
【００７３】
ステップＳ２３で、サーバ３は、ＭＦＰ２ａからの要求にしたがって受信したファックスデータの保存場所を生成する。受信したファックスデータの保存場所は、ユーザの指示に基づいて生成される。また、受信したファックスデータの保存場所は、サーバ３が自動的に保存場所を決定してもよい。
【００７４】
ステップＳ２４で、ＭＦＰ２ａは、生成された保存場所に関する情報を、ネットワークを介してサーバ３から受信する。
【００７５】
ステップＳ２５で、ＭＦＰ２ａは、保存場所に関する情報に基づいて、識別画像を生成する。又は、ＭＦＰ２ａは、受信したファックスデータに対してタグ情報を生成し、タグ情報に基づいて、識別画像を生成してもよい。
【００７６】
ステップＳ２６で、ＭＦＰ２ａは、受信したファックスデータを、ネットワークを介してサーバ３へ送信する。
【００７７】
ステップＳ２７で、サーバ３は、ＭＦＰ２ａから受信したファックスデータを指示された保存場所へ保存する。
【００７８】
ステップＳ２８で、ＭＦＰ２ａは、ユーザから返信指示を受け付ける。その後、ＭＦＰ２ａは、受信したファックスデータに対する返信として送信するファックスデータを受け取る。
【００７９】
ステップＳ２９で、ＭＦＰ２ａは、ファックス通信を用いて受信したファックスデータに含まれる識別画像を切り出し、返信するファックスデータに付加する。ＭＦＰ２ａは、受信したファックスデータに対する返信として送信するファックスデータの本文、ファックスの送信レポートなどに付加する。なお、識別画像は、保存場所に関する情報又はタグ情報に基づいて生成されもよい。
【００８０】
ステップＳ３０で、ＭＦＰ２ａは、識別画像が付加されたファックスデータを、ネットワークを介して識別画像が示す保存場所へ送信する。
【００８１】
ステップＳ３１で、サーバ３は、指定された保存場所に、送信するファックスデータを保存する。
【００８２】
ステップＳ３２で、ＭＦＰ２ａは、ファックス機能を用いて、ＭＦＰ２ｂにファックスデータを送信する。
【００８３】
図７は、ＭＦＰ２が送信時に実行する送信処理の手順例を示すフローチャート図である。
【００８４】
ステップＳ４０で、当該処理が開始される。
【００８５】
ステップＳ４１で、ＵＩ部２７は、ユーザからファックスの送信要求を受け付ける。
【００８６】
ステップＳ４２で、ファックスデータ受取部２１は、ユーザからファックス通信を用いて送信するファックスデータを受け取る。
【００８７】
ステップＳ４３で、保存場所管理部２４は、ユーザの指示などに基づきファックスデータの保存場所をサーバ３に生成する。サーバ３に保存場所が生成された後、ＭＦＰ２は、保存場所に関する情報をサーバ３から取得する。なお、送信するファックスデータに識別画像が含まれている場合には、識別画像を新たに生成する必要はない。以下のステップでも同様である。
【００８８】
ステップＳ４４で、識別画像生成部２５は、ネットワークを介してサーバ３から受信した保存場所の情報に基づいて、識別画像を生成する。又は、ＭＦＰ２ａは、送信するファックスデータに対してタグ情報を生成し、タグ情報に基づいて、識別画像を生成してもよい。
【００８９】
ステップＳ４５で、識別画像付加部２６は、生成した識別画像を、ファックス通信を用いて送信するファックスデータに付加する。
【００９０】
ステップＳ４６で、保存場所管理部２４は、サーバ３が生成した保存場所に、送信するファックスデータを、ネットワークを介して送信する。
【００９１】
ステップＳ４７で、ファックスデータ送受信部２８は、識別画像が付加されたファックスデータを、ファックス通信を用いて送信先のＭＦＰ２へ送信し、当該処理は終了する。
【００９２】
図８は、ＭＦＰ２が受信したファックスデータに対する返信処理の手順例を示すフローチャートである。
【００９３】
ステップＳ５０で、当該処理が開始される。
【００９４】
ステップＳ５１で、ＵＩ部２７は、ユーザからファックスの返信要求を受け付ける。
【００９５】
ステップＳ５２で、ファックスデータ受取部２１は、受信したファックスデータに対する返信として送信するファックスデータを受け取る。
【００９６】
ステップＳ５３で、判定部２２は、受け取ったファックスデータに識別画像が含まれるか否かを判断する。判断結果がＹＥＳの場合、すなわち、受け取ったファックスデータに識別画像が含まれる場合、ステップＳ５６に進む。判断結果がＮＯの場合、すなわち、受け取ったファックスデータに識別画像が含まれていない場合、ステップＳ５４に進む。
【００９７】
ステップＳ５４で、ＵＩ部２７は、どのファックスデータに対して返信するのかを特定するファックスデータの選択をユーザから受け付ける。どのファックスデータに対して返信するのかを特定するファックスデータは、ＭＦＰ２本体に記憶されている送受信履歴、又はサーバ３に保存されているファックスデータの中から選択される。
【００９８】
図９は、ファックスの送受信履歴の一覧画面の例を示すイメージ図である。表示画面Ｇ１に示すように、送受信の相手先、及び日付が表示される。また、ファックスの送受信の一覧は、日付、送受信の相手先にしたがって、表示する順序を変更できる。
【００９９】
表示画面Ｇ１で、任意の履歴を選択すると、表示画面Ｇ２の画面が表示される。表示画面Ｇ２では、送受信したファックスデータが表示される。なお、ここで、返信を選択すると、選択されたファックスデータに対して返信処理が実行される。
【０１００】
図８に戻り、ステップＳ５５で、関連情報取得部２３は、どのファックスデータに対して返信するのかを特定するために選択したファックスデータに含まれる識別画像から保存場所に関する情報又はタグ情報を取得する。その後、識別画像付加部２６が、保存場所に関する情報又はタグ情報を基にして、識別画像を生成し、ファックスデータに付加する。
【０１０１】
ステップＳ５６で、関連情報取得部２３は、付加された識別画像から保存場所に関する情報又はタグ情報を取得する。
【０１０２】
ステップＳ５７で、保存場所管理部２４は、取得した情報にしたがって、ファックスデータを保存する。その後、当該処理は終了する。
【０１０３】
図１０は、ファックスの受信時に実行する受信処理の手順例を示すフローチャート図である。
【０１０４】
ステップＳ６０で、当該処理が開始される。
【０１０５】
ステップＳ６１で、ファックスデータ送受信部２８はファックス通信を用いて、ファックスデータを受信する。
【０１０６】
ステップＳ６２で、判定部２２は、受信したファックスデータに識別画像が含まれているか否かを判断する。判断結果がＹＥＳの場合、すなわち、受信したファックスデータに識別画像が含まれている場合、ステップＳ６８に進む。判断結果がＮＯの場合、すなわち、受信したファックスデータに識別画像が含まれていない場合、ステップＳ６３に進む。
【０１０７】
ステップＳ６３で、ＵＩ部２７は、例えば、送受信履歴の一覧を表示させる。
【０１０８】
ステップＳ６４で、判定部２２は、ユーザが、通信履歴の一覧の中から、受信したファックスデータと関連するファックスデータを選択したか否かを判断する。判断結果がＹＥＳの場合、すなわち、ユーザがいずれかのファックスデータを選択した場合、ステップＳ６６に進む。判断結果がＮＯの場合、すなわち、ユーザがどのファックスデータも選択しなかった場合、ステップＳ６５に進む。
【０１０９】
ステップＳ６５で、保存場所管理部２４は、例えば、ユーザの指示に基づいて、ファックスデータの保存場所を生成する。なお、すでに保存場所が存在する場合は、保存場所を生成しなくてもよい。
【０１１０】
ステップＳ６６で、識別画像生成部２５は、保存場所を示す情報に基づいて、識別画像を生成する。又は、ＭＦＰ２ａは、送信するファックスデータに対してタグ情報を生成し、タグ情報に基づいて、識別画像を生成してもよい。
【０１１１】
ステップＳ６７で、識別画像付加部２６は、生成した識別画像を、受信したファックスデータに付加する。
【０１１２】
ステップＳ６８で、保存場所管理部２４は、指定した保存先に受信したファックスデータを保存する。その後、当該処理を終了する。
【０１１３】
図１１は、識別画像が示す保存場所にサーバ３がアクセスできない場合のファックスデータの保存処理の手順例を示すフローチャート図である。
【０１１４】
ステップＳ７０で、当該処理は開始される。
【０１１５】
ステップＳ７１で、ファックスデータ送受信部２８は、ファックス通信を用いてファックスデータを受信する。
【０１１６】
ステップＳ７２で、保存場所管理部２４は、ファックス通信を用いて受信したファックスデータの識別画像が示す保存場所を有するサーバ３にアクセスする。
【０１１７】
ステップＳ７３で、保存場所管理部２４が、ファックスデータの識別画像が示す保存場所を有するサーバ３に保存場所管理部２４がアクセスできるか否かを判定する。判定結果がＹＥＳの場合、すなわち、サーバ３にアクセス可能な場合、ステップＳ７８に進む。判定結果がＮＯの場合、すなわち、サーバ３にアクセスできない場合、ステップＳ７４に進む。サーバ３にアクセスできない場合の例としては、サーバ３が他社の管理しているサーバである場合が挙げられる。
【０１１８】
ステップＳ７４で、保存場所管理部２４は、アクセスできないサーバ３上に生成された保存場所と、例えば、会社が管理し、アクセスできる他のサーバ４（不図示）上に生成された保存場所との対応表に該当するエントリが存在するか否かを判断する。判断結果がＹＥＳの場合、すなわち、対応表に該当するエントリが存在する場合、ステップＳ７７に進む。判断結果がＮＯの場合、すなわち、対応表に該当するエントリが存在しない場合、ステップＳ７５に進む。
【０１１９】
ステップＳ７５で、保存場所管理部２４は、他のサーバ４上にファックス通信を用いて受信したファックスデータの保存場所を新しく生成する。
【０１２０】
ステップＳ７６で、保存場所管理部２４は、アクセスできないサーバ３上に生成された保存場所を示す識別画像と、新しく生成された保存場所との対応を示すエントリを生成する。
【０１２１】
ステップＳ７７で、保存場所管理部２４は、対応表の該当するエントリにしたがって、該当する保存場所にアクセスする。
【０１２２】
ステップＳ７８で、保存場所管理部２４は、保存場所にファックス通信を用いて受信したファックスデータを保存する。その後、当該処理は終了する。
【０１２３】
図１２は、ログイン情報を付加したファックスデータを保存する処理の手順例を示すフローチャート図である。
【０１２４】
ステップＳ８１で、当該処理が開始される。
【０１２５】
ステップＳ８２で、ＵＩ部２７は、ユーザからのログイン操作を検知する。
【０１２６】
ステップＳ８３で、ＵＩ部２７は、ログインが完了したユーザから、ファックスデータの送信操作を受け付ける。
【０１２７】
ステップＳ８４で、保存場所管理部２４は、ファックス通信で送信するファックスデータの保存場所をサーバ３上に生成する。識別画像生成部２５は、生成した保存場所の情報に基づいて、識別画像を生成する。なお、すでに保存場所が存在する場合は、保存場所の生成は不要である。識別画像付加部２６は、生成した識別画像をファックス通信で送信するファックスデータに付加する。
【０１２８】
ステップＳ８５で、ファックスデータ送受信部２８は、相手先へ送信するファックスデータを、ファックス通信を用いて送信する。この時、ファックスデータ送受信部２８は、ファックスデータの送信時刻を記録する。
【０１２９】
ステップＳ８６で、機能制御部２９は、ファックスデータの送信時刻及びログイン情報に基づいて、送信したファックスデータに付加する情報を生成する。
【０１３０】
ステップＳ８７で、機能制御部２９は、生成した情報を、ファックス通信を用いて送信したファックスデータに付加する。
【０１３１】
ステップＳ８８で、保存場所管理部２４は、保存場所に送信したファックスデータを保存する。その後、当該処理が終了する。
【０１３２】
図１３は、ファックスデータの保存場所の名称を設定する処理の手順例を示すフローチャート図である。
【０１３３】
ステップＳ９０で、当該処理が開始される。
【０１３４】
ステップＳ９１で、ファックスデータ送受信部２８は、ファックス通信を用いて、ファックスデータを受信する。
【０１３５】
ステップＳ９２で、機能制御部２９は、ファックスデータの送受信の相手先の情報を記憶する。
【０１３６】
ステップＳ９３で、判定部２２は、受信したファックスデータに識別画像が付与されているか否かを判断する。判断結果がＹＥＳの場合、すなわち受信したファックスデータに識別画像が付加されている場合、ステップＳ９６に進む。判断結果がＮＯの場合、すなわちファックスデータに識別画像が付加されていない場合、ステップＳ９４に進む。
【０１３７】
ステップＳ９４で、機能制御部２９は、記憶した相手先の情報を取得する。
【０１３８】
ステップＳ９５で、保存場所管理部２４は、取得した相手先の情報に基づいて保存場所の名称を決定し、受信したファックスデータの保存場所をサーバ３上に生成する。
【０１３９】
ステップＳ９６で、保存場所管理部２４は、該当する保存場所に、受信したファックスデータを保存する。その後、当該処理は終了する。
【０１４０】
図１４は、ファックスデータを送信したユーザ情報に基づいて、ファックスデータの保存場所の名称を設定する処理の手順例を示すフローチャート図である。
【０１４１】
ステップＳ１００で、当該処理が開始される。
【０１４２】
ステップＳ１０１で、ＵＩ部２７はユーザからログイン操作を受け付ける。
【０１４３】
ステップＳ１０２で、機能制御部２９は、ログインしたユーザのユーザ情報を記憶する。
【０１４４】
ステップＳ１０３で、ＵＩ部２７は、ユーザからファックスデータの送信要求を受け付ける。
【０１４５】
ステップＳ１０４で、ファックスデータ受取部２１は、ファックス通信を用いて送信するファックスデータを読み込む。
【０１４６】
ステップＳ１０５で、機能制御部２９は、送信するファックスデータを、ファックス通信を用いて送信しようとしているユーザのユーザ情報を取得する。
【０１４７】
ステップＳ１０６で、保存場所管理部２４は、ステップＳ１０５で取得したログイン情報に基づいて保存場所の名称を決定し、送信するファックスデータの保存場所をサーバ３上に生成する。
【０１４８】
ステップＳ１０７で、保存場所管理部２４は、ファックス通信を用いて送信するファックスデータを保存場所に保存する。
【０１４９】
ステップＳ１０８で、ファックスデータ送受信部２８は、送信するファックスデータを、ファックス通信を用いて相手先に送信する。その後、当該処理は終了する。
【０１５０】
図１５は、ユーザの指示にしたがって、ファックスデータの保存場所の名称を決定する処理の手順例を示すフローチャート図である。
【０１５１】
ステップＳ１１０で、当該処理が開始される。
【０１５２】
ステップＳ１１１で、ＵＩ部２７はユーザからファックスデータの送信指示を受ける、あるいはファックスデータを受信する。
【０１５３】
ステップＳ１１２で、ファックスデータ受取部２１は、ファックス通信を用いて送信するファックスデータ又はファックス通信を用いて受信したファックスデータを受け取る。
【０１５４】
ステップＳ１１３で、ＵＩ部２７は、保存場所の名称のつけ方の候補を一覧表示する。ユーザは、一覧表示された保存場所の名称のつけ方の候補一覧の中から、保存場所の名称のつけ方を選択する。
【０１５５】
図１６は、保存場所の名称設定時に表示させる画面の例を示すイメージ図である。表示画面Ｇ３で、ＭＦＰ２は、ユーザに対して保存場所の名称を選択するか否かを選択させる。ここで、ユーザが、保存場所の名称を選択しない操作を行った場合、予め設定された名称のつけ方にしたがって、保存場所の名称が設定される。保存場所の名称を選択する操作を受け付けた場合、表示画面Ｇ４が表示される。表示画面Ｇ４において、保存場所の名称のつけ方の一覧が表示される。ユーザが、保存場所の名称のつけ方の一覧の中から名称のつけ方の一つを選択すると、選択された名称のつけ方にしたがって、保存場所の名称が設定される。
【０１５６】
図１５に戻り、ステップＳ１１４で、保存場所管理部２４は、例えば、ユーザの指示によりユーザが選択した方式で保存場所の名称を決定し、サーバ３上に保存場所を生成する。
【０１５７】
ステップＳ１１５で、保存場所管理部２４は、ファックスデータを該当する保存場所に保存する。その後、当該処理は終了する。
【０１５８】
＜変形例＞
変形例では、任意のファックスデータに対して返信する場合、任意のファックスデータを紙などの媒体から読み込む構成について説明する。変形例では、実施形態と異なる事項について説明を行い、同じ事項は、同一の参照符号を付し、その説明を省略する。
【０１５９】
＜機能構成＞
ファックスデータ受取部２１は、受信したファックスデータが印刷された紙などの媒体を介して、どのファックスデータに返信するのかを特定するファックスデータを受け取る。
【０１６０】
判定部２２が、受信したファックスデータに対して返信を行う場合、ファックス通信によって受信したファックスデータに識別画像が存在するか否かの確認を行う。
【０１６１】
関連情報取得部２３は、ファックス通信によって受信したファックスデータに含まれる識別画像から、他のファックスデータとの関連を示す情報を取得する。
【０１６２】
識別画像付加部２６は、他のファックスデータとの関連を示す情報に基づいて生成された識別画像を、受信したファックスデータに対する返信として送信するファックスデータに付加する。
【０１６３】
保存場所管理部２４は、関連情報取得部２３が取得した情報にしたがって、該当する保存場所の中で一番最後に保存されたファックスデータを取得する。ＵＩ部２７は、取得したファックスデータを表示し、送信するファックスデータを保存する保存場所に間違いがないかをユーザに対して確認するよう促す。例えば、印刷された受信したファックスデータとＵＩ部２７に表示されているファックスデータが一致すれば、ユーザは、送信するファックスデータを保存する保存場所に間違いがないと判断する。
【０１６４】
＜処理動作＞
図１７は、変形例におけるファックスデータを受信してからファックスデータに返信するまでの流れを示すシーケンス図である。
【０１６５】
ステップＳ１２０で、ＭＦＰ２ａは、ファックスデータをファックス通信によって受信する。
【０１６６】
ステップＳ１２１で、ＭＦＰ２ａは、受信したファックスデータに識別画像が含まれるか否かを判定し、識別画像が含まれていない場合、受信したファックスデータの保存場所の生成をサーバ３に要求する。なお、すでに保存場所が存在する場合、保存場所の生成は不要である。
【０１６７】
ステップＳ１２２で、サーバ３は、ＭＦＰ２ａからの要求にしたがって、保存場所を生成する。
【０１６８】
ステップＳ１２３で、ＭＦＰ２ａは、例えば、ユーザの指示により、サーバ３が生成した保存場所に関する情報を受け取る。
【０１６９】
ステップＳ１２４で、ＭＦＰ２ａは、受け取った保存場所に関する情報に基づいて、識別画像を生成する。ＭＦＰ２ａは、生成した識別画像をファックスデータに付加する。
【０１７０】
ステップＳ１２５で、ＭＦＰ２ａは、受信したファックスデータを保存場所に送信する。
【０１７１】
ステップＳ１２６で、サーバ３は、ファックス通信を用いてＭＦＰ２ａから受信したファックスデータを指示された保存場所へ保存する。
【０１７２】
ステップＳ１２７で、ＭＦＰ２ａは、識別画像が付加されたファックスデータを印刷する。
【０１７３】
ステップＳ１２８で、ＭＦＰ２ａは、ユーザから返信要求を受け付ける。ＭＦＰ２ａは、ファックスデータの返信として送信するファックスデータを受け取る。その後、ＭＦＰ２ａは、どのファックスデータに返信するのかを特定するファックスデータに含まれる識別画像を読み込む。
【０１７４】
ステップＳ１２９で、ＭＦＰ２ａは、読み込んだ識別画像から、どのファックスデータに返信するのかを特定するファックスデータが保存されている保存場所に関する情報を取得し、その保存場所の中で一番最後に保存されたファックスデータをＭＦＰ２ａに送信するよう、サーバ３に要求する。
【０１７５】
ステップＳ１３０で、ＭＦＰ２ａは、該当する保存場所に保存されている一番最後に保存されたファックスデータをサーバ３から取得する。
【０１７６】
ステップＳ１３１で、ＭＦＰ２ａは、サーバ３から受信したファックスデータを表示し、返信するファックスデータを保存する保存場所に間違いがないかをユーザに対して確認するよう促す。
【０１７７】
ステップＳ１３２で、ＭＦＰ２は、送信の前に識別画像を生成し、返信として送信するファックスデータに付加しておく。
【０１７８】
ステップＳ１３３で、ユーザによる確認が完了後、ＭＦＰ２ａは、送信するファックスデータをネットワークを介してサーバ３に送信する。
【０１７９】
ステップＳ１３４で、サーバ３は、指定された保存場所に任意のファックスデータの返信として送信するファックスデータを保存する。
【０１８０】
ステップＳ１３５で、ＭＦＰ２ａは、相手先へ任意のファックスデータの返信として送信するファックスデータを送信する。
【０１８１】
なお、上述の実施例の全部又は一部はプログラムによって実装され得る。このプログラムは、可搬記録媒体に格納することができる。可搬記録媒体とは、非一時的（non-transitory）な記憶媒体を言う。可搬記録媒体の例としては、磁気記録媒体、光ディスク、光磁気記録媒体、不揮発性メモリなどがある。可搬記録媒体に格納されたプログラムが読み出され、プロセッサーによって実行されることにより、本発明の実施例の全部又は一部が実施され得る。
【０１８２】
＜総括＞
以上、本発明の好適な実施の形態は、本発明の範囲を限定するものではない。特許請求の範囲に定義された本発明はその広範な趣旨および範囲から逸脱することなく、様々な修正および変更を加えることができることは明らかである。すなわち、具体例の詳細および添付の図面により本発明が限定されるものと解釈してはならない。
【符号の説明】
【０１８３】
１      通信システム
２      ＭＦＰ
３      サーバ
２１    ファックスデータ受取部
２２    判定部
２３    関連情報取得部
２４    保存場所管理部
２５    識別画像生成部
２６    識別画像付加部
２７    ＵＩ部
２８    ファックスデータ送受信部
２９    機能制御部
２００  コントローラ
２１０  操作パネル
２２０  記憶メディアＩ／Ｆ
２３０  データ通信Ｉ／Ｆ
２４０  ＨＤＤ
２５０  ＵＳＢＩ／Ｆ
２６０  スキャナ
２７０  プロッタ
２８０  ＦＡＸ装置
【先行技術文献】
【特許文献】
【０１８４】
【特許文献１】特開２００４−２３６０８１号公報
【図１】
0006535994.tif 000002
【図２】
0006535994.tif 000003
【図３】
0006535994.tif 000004
【図４】
0006535994.tif 000005
【図５】
0006535994.tif 000006
【図６】
0006535994.tif 000007
【図７】
0006535994.tif 000008
【図８】
0006535994.tif 000009
【図９】
0006535994.tif 000010
【図１０】
0006535994.tif 000011
【図１１】
0006535994.tif 000012
【図１２】
0006535994.tif 000013
【図１３】
0006535994.tif 000014
【図１４】
0006535994.tif 000015
【図１５】
0006535994.tif 000016
【図１６】
0006535994.tif 000017
【図１７】
0006535994.tif 000018